(57)【要約】【課題】通信予約の確認時に、一目して通信予約の種別を判別し得る通信端末装置を提供する。【解決手段】通信予約確認キー８ａが操作されると（ステップＳＴ１）、通信予約テーブル５ａに記憶されている通信予約登録データを読み出し（ステップＳＴ２）、この通信予約登録データの各登録番号、予約時刻、予約種別等を表示部７にリスト表示する（ステップＳＴ３）。更に、各登録番号の前に、予約種別（例えば、通常予約、一括送信）に応じた絵柄を表示する（ステップＳＴ４）。この絵柄を見てオペレータは、どのような種別の通信予約がなされているか一目見て直観できる。【選択図】      図２
2004166014.tif 000002
【特許請求の範囲】
【請求項１】
少なくとも送信すべき画像データを記憶する画像メモリと、所定の宛先に所定の時刻に送信を行う予約を登録する通信予約登録部と、予約内容を表示する表示部とを備え、
前記表示部は、予約の登録件毎に一覧表示し、各件毎に登録種別を識別する絵柄を付したことを特徴とする通信端末装置。
【請求項２】
前記表示部の予約の登録件毎の一覧表示は、予約登録のいずれかを登録消去する場合に行うものであることを特徴とする請求項１記載の通信端末装置。
【発明の詳細な説明】
【０００１】
【発明の属する技術分野】
この発明は、通信予約が可能なファクシミリ装置、ファックス機能・複写機能等の多機能を有する複合機等の通信端末装置に関する。
【０００２】
【従来の技術】
ファクシミリ装置、複合機等においては、宛先、通信時刻を予め登録しておき、予約通信時刻が到来すると、その予約文書を送信する通常の通信予約、宛先、通信時刻を予め登録しておき、予約通信時刻が到来すると、その宛先あての複数の文書を一括して送信する一括送信の予約を行うことができる。この種の通信端末装置において、通信予約文書を表示する場合には、図５に示すように、先ずステップＳＴ３１において、各予約の番号、日時、宛先、種別等を表示し、次に通信の種類が通常の予約か一括送信かを判別し（ＳＴ３２）、一括送信の場合には、番号の前に一括送信を示す「Ｂ」を表示し（ＳＴ３３）、一方、通常の予約である場合には、番号の前に通常のコマンドを示す「Ｃ」を表示している（ＳＴ３４）。一方、従来、ファクシミリ装置において、操作方法を示すガイダンスに画像パターンを使用するものが知られている（例えば、特許文献１の図７参照）。
【０００３】
【特許文献１】
特開平７−１３１５７８号公報
【０００４】
【発明が解決しようとする課題】
上記した従来の通信端末装置において、通信予約を確認するのに、特許文献１に示す如き絵柄を用いずに、通常の予約や一括送信をそれぞれ「Ｃ」、「Ｂ」で表示しているので、咄嗟にいずれの種類であるか判別し難い、という問題があった。
【０００５】
この発明は上記問題点に着目してなされたものであって、通信予約の確認時に、一見して通信予約の種別を判別し得る通信端末装置を提供することを目的としている。
【０００６】
【課題を解決するための手段】
この発明の通信端末装置は、少なくとも送信すべき画像データを記憶する画像メモリと、所定の宛先に所定の時刻に送信を行う予約を登録する通信予約登録部と、予約内容を表示する表示部とを備え、前記表示部は、予約の登録件毎に一覧表示し、各件毎に登録種別を識別する絵柄を付すようにしている。
【０００７】
この発明の通信端末装置では、通信予約内容を表示部に一覧表示する際に、予約の登録件毎に登録種別を識別する絵柄を付して表示する。この絵柄を見て、オペレータは直観的に予約の登録種別を知ることができる。前記表示部の予約の登録件毎の一覧表示は、例えば予約登録のいずれかを登録消去する場合に行うことができる。
【０００８】
【発明の実施の形態】
以下、実施の形態により、この発明を更に詳細に説明する。図１に、この発明の実施形態通信端末装置全体の概略構成を示すブロック図を示す。
【０００９】
この実施形態通信端末装置は、ファクシミリ機能とコピー機能とを備えたいわゆる複合機として構成したもので、主制御部１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１０】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１１】
ＲＯＭ４は、この装置を制御するためのプログラムを記憶する。ＲＡＭ５は、データ等を一時的に記憶する。このＲＡＭ５には、通信予約を登録記憶する通信予約テーブル５ａを備えている。
【００１２】
画像メモリ６は、受信画像データや画像読取部９で読み取った画像データを一時的に記憶する。また、この画像メモリ６は、通信予約における通常予約や一括送信を示すための絵柄を記憶する絵柄メモリ６ａを有する。表示部（ＬＣＤ）７は、アイコン、キーボタンの表示や、データの送受信に必要なメッセージ内容等を表示する。例えば、図４に示す通信予約文書画面を表示する。操作部８は通信予約確認キー８ａ、アイコン選択キー８ｐ、８ｑ、８ｒを備え、更に、ワンタッチキー、登録キー、ＦＡＸモード・コピーモード・スキャナモード等の複数の動作モードについてのモード切り替えを行うための動作モード切替キー、テンキー、スタートキー、十字キー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣから画像ファイル等のデータ転送の要求を受けると、画像メモリ６等に記憶する画像データをＬＡＮＩ／Ｆ１２、ＬＡＮ１５を介して、外部ＰＣに転送する。
【００１３】
次に、実施形態複合機における通信予約の確認処理を、図２に示すフロー図を参照して説明する。この処理ルーチンに入ると、先ず、ステップＳＴ１において、操作部８の通信予約確認キー８ａが操作されたか否かを判定する。通信予約確認キー８ａが操作されていると、ステップＳＴ２へ移行する。ステップＳＴ２においては、ＲＡＭ５の通信予約テーブル５ａより、登録データを読み出す。そして、ステップＳＴ３へ移行する。ステップＳＴ３においては、表示部７の画面に通信予約リストを表示する。例えば、図３に示す２件の予約内容で、予約番号００１と００２であり、それぞれの予約時刻が１１／１１：１１と０１／０１：０１で、種別が通常予約の宛先「村田機械」と一括送信である。続いて、ステップＳＴ４へ移行する。
【００１４】
ステップＳＴ４においては、各登録の種別の絵柄を表示する。この処理は、図４に示すように、ステップＳＴ２１において、通信予約番号００１の種別をチェックする。次に、ステップＳＴ２２においてチェックの結果、通信種別が「一括送信」か「通常の予約」であるかを判別する。「通常の予約」の場合は、ステップＳＴ２３へ移行する。一方「一括送信」の場合は、ステップＳＴ２４へ移行する。予約番号が図３の００１の場合は、ステップＳＴ２３において、図３に示す絵柄Ｐ１が予約番号００１の前に付して表示される。続いて、予約番号００２についても、同様に図４の処理を実行し、ステップＳＴ２４において、図３に示す絵柄Ｐ２が予約番号００２の前に付して表示される。
【００１５】
ステップＳＴ４の絵柄表示が完全に終了すると、ステップＳＴ５へ移行する。絵柄も含め、通信予約確認の画面は、例えば図３に示すものとなる。ステップＳＴ５においては、宛先確認ボタン８ｑ（操作部８のキー８ｑに対応）が操作されたか否か判定する。宛先確認ボタン８ｑが操作されると、ステップＳＴ６へ移行する。一方、宛先確認ボタン８ｑが操作されない（一定時間に亘り）と、ステップＳＴ８へ移行する。ステップＳＴ６においては、カーソル位置が一括送信の行にあるか否か判定する。カーソル位置が一括送信の行にあれば、ステップＳＴ７へ移行する。一方、カーソル位置が一括送信の行になければ、ステップＳＴ７をスキップして、ステップＳＴ８へ移行する。ステップＳＴ７においては、画面を変更して一括送信の宛先を表示する。一覧表示では、一括送信の宛先が分からないので、この宛先表示により、オペレータは一括送信の先を知ることができる。
【００１６】
ステップＳＴ８においては、所定時間が経過したか否か判定する。所定時間が経過するまでは、ステップＳＴ７へ戻り、宛先表示を継続する。一方、所定時間が経過すると、ステップＳＴ９へ移行する。ステップＳＴ９においては、図３に示す元の画面を表示する。次に、ステップＳＴ１０へ移行する。ステップＳＴ１０においては、消去ボタン８ｒ（操作部８のキー８ｒに対応）が操作されたか否か判定する。消去ボタン８ｒが操作されると、ステップＳＴ１１へ移行する。一方、所定時間に亘り消去ボタン８ｒが操作されないと、ステップＳＴ１１をスキップして、ステップＳＴ１２へ移行する。ステップＳＴ１１においては、カーソル位置の通信予約内容の表示及び登録を消去する。そして、ステップＳＴ１２へ移行する。ステップＳＴ１２において、終了か否か判定する。また、登録を消去すべきものがある等、処理が終了でない場合は、ステップＳＴ５へ戻る。通信予約リストのカーソル位置は、操作部８の十字キーの上キー、あるいは下キーを操作することにより移動することができる。
【００１７】
【発明の効果】
この発明によれば、通信予約の内容を表示部に表示して確認する際に、通信予約の登録件毎に登録種別を識別する絵柄を付して表示するようにしているので、オペレータは絵柄を一目見て、直観的に通信予約の登録種別を知ることができる。
【図面の簡単な説明】
【図１】この発明の通信端末装置の一実施形態である複合機の構成を示すブロック図である。
【図２】同実施形態複合機の通信予約確認処理を説明するためのフロー図である。
【図３】同実施形態複合機の通信予約確認画面の一例を示す図である。
【図４】同実施形態複合機において、通信予約確認処理表示における種別識別用の絵柄表示を説明するフロー図である。
【図５】従来の通信予約確認処理表示における種別識別用の絵柄表示を説明するフロー図である。
【符号の説明】
１                主制御部
２                ＮＣＵ
３                ＭＯＤＥＭ
４                ＲＯＭ
５                ＲＡＭ
５ａ              通信予約テーブルメモリ
６                画像メモリ
６ａ              絵柄メモリ
７                表示部
８                操作部
８ａ              通信予約確認キー
８ｐ、８ｑ、８ｒ  アイコン選択キー
９                画像読取部
１０              画像記録部
１１              ＣＯＤＥＣ
１２              ＬＡＮＩ／Ｆ
１３              バス
１４              電話回線
１５              ＬＡＮ
【図１】
2004166014.tif 000003
【図２】
2004166014.tif 000004
【図３】
2004166014.tif 000005
【図４】
2004166014.tif 000006
【図５】
2004166014.tif 000007